(57)【要約】      （修正有）【課題】毎日恒常的に電位療法を行って身体を調整することができる電位治療器を提供する。【解決手段】電位治療器は、一側には理学療法ユニットに理学療法電気エネルギーを出力するための出力端が設けられ、上面には理学療法電気エネルギーの出力パラメータを設定するための複数の操作ボタン２が設けられ、前側には各操作ボタンの操作状態を表示するための表示部３が設けられた電位治療器本体１を備えている。使用者が自宅で電位治療器を理学療法ユニットに接続し、自分の身体状況に基づいて異なる各種強度、モード、時間等を設定し、理学療法ユニットにより身体を効果的に調整し、体内の水素イオン濃度のバランスを調整し、現代病の発症率を低下させる。【選択図】図１
0003227913.tif 000002
【実用新案登録請求の範囲】
【請求項１】
電位治療器本体を有する電位治療器であって、前記電位治療器本体の一側には理学療法ユニットに理学療法電気エネルギーを出力するための出力端が設けられ、前記電位治療器本体の上面には前記理学療法電気エネルギーの出力パラメータを設定するための複数の操作ボタンが設けられ、前記電位治療器本体の前側には各操作ボタンの操作状態を表示するための表示部が設けられることを特徴とする電位治療器。
【請求項２】
前記複数の操作ボタンは、操作することで時間設定信号を発生する時間設定ボタンを含み、前記電位治療器本体は、前記時間設定信号に基づいて前記出力端から前記理学療法電気エネルギーを持続的に出力する時間を決定し、且つ前記表示部は残り時間を表示することを特徴とする請求項１に記載の電位治療器。
【請求項３】
前記複数の操作ボタンは、操作することで強度設定信号を発生する強度設定ボタンを含み、前記電位治療器本体は前記強度設定信号に基づいて前記出力端から出力する前記理学療法電気エネルギーの電圧値を決定し、且つ前記表示部に表示される前記強度設定信号が表す設定値を制御することを特徴とする請求項２に記載の電位治療器。
【請求項４】
前記複数の操作ボタンは、操作することでモード設定信号を発生するモード設定ボタンを含み、前記電位治療器本体は前記モード設定信号に基づいて前記出力端から出力する前記理学療法電気エネルギーの出力周波数を決定し、且つ前記表示部に表示する前記モード設定信号が表す設定値を制御することを特徴とする請求項３に記載の電位治療器。
【請求項５】
前記複数の操作ボタンはスリープモード設定ボタンを含み、前記スリープモード設定ボタンを押した後、前記電位治療器本体が前記出力端から出力する前記理学療法電気エネルギーを電圧既定値とするように制御し、且つ前記表示部を既定時間後に消すように制御することを特徴とする請求項４に記載の電位治療器。
【考案の詳細な説明】
【技術分野】
【０００１】
本考案は、電位治療器に関し、更に詳しくは、理学療法ユニットに理学療法電気エネルギーを供給する電位治療器に関する。
【背景技術】
【０００２】
現代人は生活が忙しい、仕事上でのストレスが大きい、良質な睡眠が得られない、肩と首が凝る、便秘になる等の問題を抱えている。これらの問題は日中の仕事や生活の質にも影響を及ぼしている。さらに、現代人は大きなストレスを抱えている上に生活形態も変化しており、食事が肉食化する傾向にある。これも体内の陽イオンの増加に繋がり、血液が酸性へと傾き、身体に慢性疾患を患う人が増えている。このような問題のために、現代人は健康管理に注意するようになっている。
【０００３】
研究や実験から、電位療法により上述の問題を改善できることが分かっている。電位療法は主に微小電流を体内に流し、陰イオンを体内に供給することで、体内の陽イオンと陰イオンを中和し、身体の水素イオン濃度を弱アルカリ性体質に徐々に近づけることができる。これにより、前述の身体の各問題が発生しにくくなる。
【考案の概要】
【考案が解決しようとする課題】
【０００４】
しかしながら、前述の従来技術では、機能が限られ、１台で多種類の理学療法モードを兼ね備え、多様な理学療法媒体を組み合わせているものはなかった。
【０００５】
このため、本考案者は、家の中に電位療法を行うための機械を設置し、機械の補助により毎日恒常的に電位療法を行って身体を調整することで、前述の各種の現代病を改善し得ると考えた。
【０００６】
そこで、本考案者は上記の欠点が改善可能と考え、鋭意検討を重ねた結果、合理的設計で上記の課題を効果的に改善する本考案の提案に到った。
【０００７】
本考案は、このような従来の問題に鑑みてなされたものである。上記の課題解決のため、本考案は、電位治療器を提供することを主目的とする。
【課題を解決するための手段】
【０００８】
上記課題を解決する本考案は、電位治療器本体を有する電位治療器であって、前記電位治療器本体の一側には理学療法ユニットに理学療法電気エネルギーを出力するための出力端が設けられ、前記電位治療器本体の上面には前記理学療法電気エネルギーの出力パラメータを設定するための複数の操作ボタンが設けられ、前記電位治療器本体の前側には各操作ボタンの操作状態を表示するための表示部が設けられることを特徴とする。
【考案の効果】
【０００９】
本考案によれば、使用者が自宅で前記電位治療器を前記理学療法ユニットに接続し、自分の身体の状況に基づいて異なる各種強度、モード、時間等を設定し、前記理学療法ユニットにより身体を効果的に調整し、体内の水素イオン濃度のバランスを調整し、現代病の発症率を低下させる。
【００１０】
本考案の他の特徴については、本明細書及び添付図面の記載により明らかになる。
【図面の簡単な説明】
【００１１】
【図１】本考案に係る電位治療器の例を示す外観斜視図である。
【図２】本考案のリモコンを示す概略図である。
【図３】本考案の表示部による表示画面を示す概略図である。
【図４】本考案に係る電位治療器を示す上面図である。
【図５】本考案に係る電位治療器の使用状態を示す概略図である。
【図６】本考案のマットレスの層状構造を示す概略図である。
【図７】本考案の理学療法ユニットの他の実施形態を示す概略図である。
【考案を実施するための形態】
【００１２】
以下、本開示の実施形態について図面を用いて説明する。なお、本開示は、下記の実施形態に何ら限定されることはなく、本開示の技術的範囲に属する限り種々の形態を採りうる。
【００１３】
以下、本考案の電位治療器について、図３及び図５を図１と併せて参照しながら説明する。本考案に係る電位治療器は、電位治療器本体１を備えている。前記電位治療器本体１の一側には理学療法ユニットＡに理学療法電気エネルギーを出力するための出力端が設けられている。前記電位治療器本体１の上面には前記理学療法電気エネルギーの出力パラメータを設定するための複数の操作ボタン２が設置され、例えば、前記理学療法電気エネルギーの電圧値（強度値）、パルス周期、出力持続時間、オンとオフ等が設定される。前記電位治療器本体１の前側には各操作ボタン２の操作状態を表示するための表示部３が設けられている。さらに、本明細書に係る前記電位治療器本体１は、好ましくは、ケース及び前記ケースに内設される電気エネルギー出力ユニットを備え、各操作ボタン２は前記電気エネルギー出力ユニットにそれぞれ電気的に接続され、且つ前記電気エネルギー出力ユニットにより前記出力端から出力する理学療法電気エネルギーを制御する。
【００１４】
図３は前記表示部３の好適な表示画面を示し、前記表示部３は複数のパターン３１〜３４を表す。まず、パターン３１は人体の輪郭を表し、且つ前記人体の輪郭には使用者の最適な理学療法の位置を示す複数の丸い点が設けられている。パターン３２は扇形の目盛り画面を表し、主に前記理学療法電気エネルギーの強度を表示する。パターン３３は時間のカウントダウンを表示する。パターン３４は前記理学療法電気エネルギーの出力モードを示し、前記理学療法電気エネルギーは出力モードの違いに応じて異なるパルス周期を有する。
【００１５】
本考案の主な利点は以下の通りである。
（１）理学療法電気エネルギーの異なる出力モード、出力強度、出力持続時間等を設定し、使用者が自分の身体の状態に応じて前記理学療法電気エネルギーを調整し、前記理学療法ユニットＡにより使用者自身を効果的に助け、身体の機能や状態を調節する。
（２）前記表示部３に前記理学療法電気エネルギーの各種出力設定及びパターン３１が示す人体の理学療法位置の概略図をはっきりと見やすく表示し、使用者が本考案及び前記理学療法ユニットＡを簡単便利に操作可能にする。
【００１６】
さらに、図４を参照しながら、本考案の各操作ボタン２の機能について説明する。まず、前記複数の操作ボタン２は、操作することで時間設定信号を発生する時間設定ボタン２１を含み、前記電位治療器本体１は、前記時間設定信号に基づいて前記出力端から前記理学療法電気エネルギーを持続的に出力する時間を決定し、且つ前記表示部３に残り時間を表示する。本明細書を例にとると、時間設定は最長８時間に達し、最短では１時間である。これにより、使用者は本考案の使用時間を任意に設定し、使用時間が終了すると、前記電位治療器本体１は前記理学療法電気エネルギーの出力を停止し、同時に前記表示部３に表示するパターン３３に終了時間を示す。
【００１７】
同様に、図４に示すように、前記複数の操作ボタン２は、操作することで強度設定信号を発生する強度設定ボタン２２を含み、前記電位治療器本体１は、前記強度設定信号に基づいて前記出力端から出力する前記理学療法電気エネルギーの電圧値（強度値）を決定し、且つ前記表示部３のパターン３２に表示する前記強度設定信号が表す設定値を制御する。さらに、前記電圧値（強度値）の設定は好ましくは300V、500V、800V等の３種類に分かれ（300V、500V、800Vは出力強度を表示する）、実際に実施する際には製品のタイプ、用途、機能の違いに応じて前記電圧値（強度値）の設定の種類及び数値を増減する。これにより、使用者は自分の状態に応じて異なる電圧値（強度値）を選択し、前記電位治療器本体１に異なる強度の理学療法電気エネルギーを出力させる。特に、子供や高齢者には、前記電圧値（強度値）は300Vが好ましく、本考案を使用し始めた使用者の場合、前記電圧値（強度値）を300Vに設定することを推奨する。さらに、表１は前記電圧値（強度値）の設定及び持続時間の設定の適切な提案表を示し、表中で使用する時間とは本考案を使用する日数を指す。表中の数値は参考値であり、使用者は自分の身体の状態に応じて調整可能である。
【００１８】
【表１】
0003227913.tif 000003
【００１９】
図４に示すように、前記複数の操作ボタン２は、操作することでモード設定信号を発生するモード設定ボタン２３を含み、前記電位治療器本体１は前記モード設定信号に基づいて前記出力端から出力する前記理学療法電気エネルギーの出力周波数を決定し、且つ前記表示部３のパターン３４に表示する前記モード設定信号が表す設定値を制御する。例えば、本考案は、好ましくは５種類のモードを選択可能である。モード１を選択した場合、使用者が強度及び時間を自分で設定する。モード２を選択した場合、前記理学療法電源は300Vを１分間出力した後、500Vを１分間出力し、これを設定時間が来るまで連続サイクルで行う。モード３を選択した場合、500Vを１分間出力した後、800Vを１分間出力し、これを設定時間が来るまで連続サイクルで行う。モード４では300Vを１分間出力した後、800Vを１分間出力し、これを設定時間が来るまで連続サイクルで行う。最後に、モード５では300Vを１分間出力した後、500Vを１分間出力し、次いで800Vを１分間出力し、これを設定時間が来るまで連続サイクルで行う。
【００２０】
図４に示すように、上述のモード以外にスリープモードを更に有する。前記スリープモードの実施方式は、前記複数の操作ボタン２がスリープモード設定ボタン２４を含み、前記スリープモード設定ボタン２４を押した後、前記電位治療器本体１が前記出力端から出力する前記理学療法電気エネルギーを電圧既定値に制御する。本明細書を例にとると、前記電圧既定値は、好ましくは300Vであり、且つ前記表示部３を既定時間（好ましくは５〜１０秒）に制御した後に終了する。使用者はスリープモードにより、睡眠中にも本考案で身体を調整可能となる。
【００２１】
図２を参照して、関連機能をリモートコントロールする実施例について説明する。まず、本考案は、前記電位治療器本体１に信号受信機を更に設置し、リモコン４が更に設けられる。前記リモコン４の外側にはリモコンボタンセット４１が設けられ、前記リモコンボタンセット４１は、操作することで時間設定信号及び強度設定信号、又は時間設定信号を前記信号受信機に発信する。これにより、前記電位治療器本体１が受信した信号に基づいて対応する動作を実行し、本考案はリモートコントロール機能を有する。さらに、照明が暗い又は視線が妨げられる等の環境により前記リモコン４を使用することが難しくなったり、見にくくなることを避けるため、前記リモコンボタンセット４１の複数のボタンは、好ましくは夜光材質で製造される。
【００２２】
図２に示すように、前記リモコン４は上述のリモートコントロール機能以外に、前記理学療法電気エネルギーが前記理学療法ユニットＡ内に入力されたか否かを検知する検電機能を更に有する。その実施方式は、前記リモコン４の表面に提示ユニットを設置し、前記リモコン４に理学療法電気エネルギー検知ユニットが内設される。前記理学療法電気エネルギー検知ユニットが前記理学療法電気エネルギーを検知すると、前記提示ユニットが作動を開始する。本明細書を例にとると、前記提示ユニットは、前記リモコン４の表示部４２にフラッシュ方式、文字表示等の方式で設置し、これにより使用者に対して前記理学療法ユニットＡのオンとオフ状態を知らせることができる。
【００２３】
図５及び図６を参照して、前記理学療法ユニットＡの実施態様について説明する。まず、前記理学療法ユニットＡはマットレス、クッション等のマットであり、本明細書をでは、マットレスを好ましい例として、本考案の使用態様及び利点について説明する。その実施方式は次の通りである。前記理学療法ユニットＡはクッションＡ１を備え、前記クッションＡ１には理学療法ユニット本体Ａ２が内設され、前記理学療法ユニット本体Ａ２は前記出力端に電気的に接続可能である。これにより、前記理学療法ユニットＡをマットレスとして実施することにより、使用者が睡眠中でも十分な理学療法効果を得られ、身体を調整できる。さらに、前記電位治療器本体１でスリープモードを選択すると、睡眠中の理学療法効果が最適化する。
【００２４】
図６を参照すると、本考案は、好ましいマットレス機能を発揮し、使用者が好ましい理学療法効果を得られる以外に、同時に良質な睡眠及び睡眠環境を更に得られる。このため、本考案は更に次のように実施する。前記理学療法ユニット本体Ａ２を電位布とし、前記電位布の両側に内から外にかけて第一布層Ａ３、第二布層Ａ４、第三布層Ａ５、及び第四布層Ａ６を順に設ける。前記第一布層Ａ３の材質は不織布であり、前記第二布層Ａ４の材質は発泡材であり、前記第三布層Ａ５は綿セルロース繊維であり、前記第四布層Ａ６の材質は綿及び綿織物の混紡である。さらに、前記第四布層Ａ６の混紡比率は好ましくは綿35%、綿織物65%である。
【００２５】
なお、図７に示すように、前記理学療法ユニットＡは上述のマットの実施態様以外に、美容関連の装置であってもよい。その実施方式は、グリップ部Ａ７を備え、前記グリップ部Ａ７の一端にはフォーク部Ａ７１が設けられ、前記フォーク部Ａ７１の自由端には２つの理学療法ボールＡ７２をそれぞれ設置する。前記グリップ部Ａ７には導電線Ａ７３が内設され、前記導電線Ａ７３の一端は各理学療法ボールＡ７２にそれぞれ電気的に接続され、他端は前記グリップ部Ａ７の他端から露出し、前記電位治療器本体１に電気的に接続される。これにより、前記電位治療器本体１が前記理学療法ボールＡ７２を作動するように駆動させて理学療法電気エネルギーを放出し、使用者が前記グリップ部Ａ７を握って前記理学療法ボールＡ７２を身体の任意の各部位に接触させることで、理学療法及び身体調整の効果を達成する。
【００２６】
さらに、各理学療法ボールＡ７２がマッサージ効果を兼ね備えるようにするため、前記フォーク部Ａ７１は、好ましくは、前記フォーク部Ａ７１の自由端に２つの窪みをそれぞれ設け、各窪みの内側壁には各理学療法ボールＡ７２の外輪郭に適合する空間を規定する。各理学療法ボールＡ７２は各窪みに内設し、且つ一部が各窪みから露出する。これにより、各理学療法ボールを人体の皮膚に接触させた後、押すことによって各理学療法ボールが回転し、マッサージ効果を達成する。
【００２７】
さらに、マッサージ効果を更に達成するため、前記グリップ部Ａ７は更に、前記グリップ部Ａ７に振動ユニットが内設され、且つ前記振動ユニットは前記導電線Ａ７３の一端に電気的に接続される。前記グリップ部Ａ７の外側には操作ユニットを設置し、前記操作ユニットを操作することで前記振動ユニットのオンとオフを制御する。これにより、各理学療法ボールＡ７２は回転によるマッサージ効果を達成するのみならず、振動によるマッサージ効果も有する。
【００２８】
以上が本考案の各部材の連結方式及び効果の説明であるが、続いて本考案の実際の使用時のフローチャートについて説明する。まず、前記電位治療器本体１を卓上に安定的に載置して家庭用電源に接続し、次いで前記クッションＡ１を床に安定的に設置し、且つ前記クッションＡ１及び前記電位治療器本体１の出力端を接続する。次に、前記電位治療器本体１を起動した後に操作モードを選択するが、注意すべきは次の２点である。（１）モードの選択：前述のように、まず前記モード設定ボタン２３によりモードを設定した後（前述の５種類の設定モード）、強度設定ボタン２２により電圧値（強度値）を設定し、次いで前記時間設定ボタン２１により時間を設定する。設定が完了した後、前記電位治療器本体１は前述の設定した内容に基づいて前記理学療法ユニットＡに出力する理学療法電気エネルギーを制御し、理学療法及び身体の調節効果を十全に達成する。（２）スリープモード：前記スリープモード設定ボタン２４を押した後に前記時間設定ボタン２１により時間を設定し、その後、前記電位治療器本体１がスリープモードに内蔵される設定に基づいて、前述の設定した時間に合わせて前記理学療法ユニットＡに出力する理学療法電気エネルギーを制御する。上述のステップが完了した後、使用者は、前記クッションＡ１上に横になることで、本考案によって得られる各利点を簡単に享受できるようになり、身体機能を改善、強化し、体内の陽イオンと陰イオンを調整する。
【００２９】
上記説明は、本考案を説明するためのものであって、実用新案登録請求の範囲に記載の考案を限定し、又は範囲を限縮するように解すべきではない。さらに、本考案の各部構成は、上記実施例に限らず、実用新案登録請求の範囲に記載の技術的範囲内で種々の変形が可能であることは勿論である。
【符号の説明】
【００３０】
１      電位治療器本体
２      操作ボタン
２１    時間設定ボタン
２２    強度設定ボタン
２３    モード設定ボタン
２４    スリープモード設定ボタン
３      表示部
３１    パターン
３２    パターン
３３    パターン
３４    パターン
４      リモコン
４１    リモコンボタンセット
４２    表示部
Ａ      理学療法ユニット
Ａ１    クッション
Ａ２    理学療法ユニット本体
Ａ３    第一布層
Ａ４    第二布層
Ａ５    第三布層
Ａ６    第四布層
Ａ７    グリップ部
Ａ７１  フォーク部
Ａ７２  理学療法ボール
Ａ７３  導電線
【図１】
0003227913.tif 000004
【図２】
0003227913.tif 000005
【図３】
0003227913.tif 000006
【図４】
0003227913.tif 000007
【図５】
0003227913.tif 000008
【図６】
0003227913.tif 000009
【図７】
0003227913.tif 000010